(57)【要約】【課題】  本発明は、大幅な収納スペースの確保を可能にした新規な昇降収納装置を提供することを目的とする。【解決手段】  アームの一端に取付けられた収納ケースが一定の範囲で昇降可能になるように構成された昇降収納装置であって、該昇降収納装置には、前記収納ケースの引き出し動作に対して制動力を与える直線運動式のダンパが備えられてなり、特に、該ダンパとして、ピストンロッドが引かれた際にダンパ効果が生じるものを用いたことを特徴とする回動装置。【選択図】  図４
2007097969.tif 000002
【特許請求の範囲】
【請求項１】
アームの一端に取付けられた収納ケースが一定の範囲で昇降可能になるように構成された昇降収納装置であって、該昇降収納装置には、前記収納ケースの引き出し動作に対して制動力を与える直線運動式のダンパが備えられてなり、特に、該ダンパとして、ピストンロッドが引かれた際にダンパ効果が生じるものを用いたことを特徴とする回動装置。
【請求項２】
ダンパにおけるピストンロッドが、前記ダンパにおけるピストンを貫通して固定されてなる請求項１に記載の昇降収納装置。
【請求項３】
ダンパが、昇降収納装置の奥行き方向に沿って略横置きに設置されてなる請求項１又は２に記載の昇降収納装置。
【請求項４】
更に、アームに対し略垂直に突出すると共に当該アームの回動に応じて回動するクランク部材が設けられてなり、前記クランク部材の突出した一端にダンパの一端を枢着することにより、当該ダンパが、昇降収納装置の底部近辺に設置されてなる請求項１ないし３のいずれか１項に記載の昇降収納装置。
【発明の詳細な説明】
【技術分野】
【０００１】
本発明は、例えば、キッチン高所に備えられて、アームの一端に取付けられた収納ケースが一定の範囲で昇降可能になるように構成された昇降収納装置に関する。
【背景技術】
【０００２】
最近市販のシステムキッチンなどにおいては、当該キッチンの高所に、アームの一端に取付けられた収納ケースが一定の範囲で昇降可能になるように構成された昇降収納装置が装備されているものが一般的となっており、各種メーカーが様々なタイプの昇降収納装置を研究・開発している（例えば、特許文献１及び２。）。
【０００３】
【特許文献１】特開２００４−２４９１２８号公報
【特許文献２】特開２００４−２１６１９８号公報
【０００４】
このような昇降収納装置の一例としては、図１の斜視図（一部透過状態）に示すような構造のものを挙げることができ、この図に示す昇降収納装置１´は、外側ケーシング２内に収納ケース３が収まり込む構造になっており、使用者が、収納ケース３の前方下部に設けられた取手３１を前方に引き出すことにより、当該収納ケース３が外側ケーシング２から前方に飛び出しつつ、使用者の作業位置まで降下してくるように構成されている。
【０００５】
この昇降収納装置１における昇降動作は、外側ケーシング２に固定された基台４に枢着された２本のアーム５（５ａ、５ｂ）が、それぞれの枢着点５１（５１ａ、５１ｂ）を中心に回動することにより、各アーム５（５ａ、５ｂ）が一定の範囲で移動ないし作動する回動機構が採用されており、即ち、各アーム５（５ａ、５ｂ）が回動することにより、当該アーム５（５ａ、５ｂ）の端部５２（５２ａ、５２ｂ）に枢着された収納ケース３が昇降する構成となっている。
【０００６】
そして、この昇降収納装置においては、収納ケース３の降下動作に制動力を与えるためのダンパ６がアーム５ｂに備えられ、又、昇降収納装置の昇降動作に付勢力を与えるためのバネ機構７がアーム５ａに備えられている。
【０００７】
ここで、この昇降収納装置においては、収納ケース３の降下と共にピストンロッド６３が縮む（押し込まれる）ように構成されており、従って、ここで使用されるダンパ３は、ピストンロッド６３が縮む際にダンパ効果が発生するように逆止弁機構が備えられてなるものである。
【発明の開示】
【発明が解決しようとする課題】
【０００８】
即ち、このような昇降収納装置においては、収納ケースを引き出す動作に応じて、ダンパにおけるピストンロッドが縮み（押込まれ）、一方、引き出された収納ケースを外側ケーシング内に収める動作に応じて、ダンパにおけるピストンロッドが伸びる（引き出される）ことになるため、収納ケースが外側ケーシングに完全に納まった状態において、ダンパ全体の長さが最大になる。
【０００９】
しかしながら、収納ケースが外側ケーシング内に納まりこんだ状態においてダンパ全体の長さが最も長くなるということは、昇降収納装置内において、最も長くなった状態のダンパを格納するためのスペースが必要になるということである。
【００１０】
そのため、このような昇降収納装置においては、最も長くなった状態のダンパを格納すべく、当該ダンパを昇降収納装置の底面に対しほぼ垂直に立ち上がるように設置する必要があり、そのためダンパを格納するためのスペースが、昇降収納装置の縦方向に向かって嵩高くなることから、その嵩の分だけ収納ケースの容積が小さくなって収納スペースが少なくなったり、デザイン面で大きな制限が生じたりするといった問題が生じる。
【００１１】
又、このような昇降収納装置においては、アームの回動経路を確保するためにその奥行き方向に大きなスペースを開けておく必要があり、そこに大きなデッドスペースが生じている。
【００１２】
そこで、本発明者は、このような問題を解決すべく鋭意検討を重ねた結果、アームの一端に取付けられた収納ケースが一定の範囲で昇降可能になるように構成されたこの種の昇降収納装置において、前記収納ケースの引き出し動作に対して制動力を与える直線運動式のダンパを備え、特に、該ダンパとして、ピストンロッドが引かれた際にダンパ効果が生じるものを用いたことを特徴とする本発明の昇降収納装置（以下、本発明装置と称する。）を完成するに至ったのである。
【００１３】
即ち、本発明者は、この種昇降収納装置における収納ケースの引き出し動作に対して制動力を与える直線運動式のダンパとして、ピストンロッドが引かれた際にダンパ効果が生じるダンパを用いれば、引き出された収納ケースを外側ケーシング内に収める動作に応じて、ダンパにおけるピストンロッドが縮み、これより、収納ケースが外側ケーシングに完全に納まった状態においてダンパ全体の長さを最短にすることができ、その結果、当該ダンパを格納するためのスペースを至極省スペースに設定することが可能になるとの知見を得たのである。
【００１４】
又、本発明装置においては、ダンパを格納するためのスペースを至極省スペースに設定することが可能になることから、ダンパを本発明装置に奥行き方向に沿って横置きに設置することができるのであり、前記デッドスペースを有効に活用できる結果、本発明装置の昇降動作を担う部分、即ち、回動機構をコンパクト化することができ、大幅な収納スペースの確保が可能になるとの知見も得たのである。
【００１５】
本発明は、上記知見に基づき完成されたものであり、大幅な収納スペースの確保を可能にした新規な昇降収納装置を提供することを目的とする。
【課題を解決するための手段】
【００１６】
以上の課題を解決する手段である本発明装置は、アームの一端に取付けられた収納ケースが一定の範囲で昇降可能になるように構成された昇降収納装置であって、該昇降収納装置には、前記収納ケースの引き出し動作に対して制動力を与える直線運動式のダンパが備えられてなり、特に、該ダンパとして、ピストンロッドが引かれた際にダンパ効果が生じるものを用いたことを特徴とする。
以下、本発明装置について詳細に説明する。
【００１７】
本発明装置は、アームの一端に取付けられた収納ケースが一定の範囲で昇降可能になるように構成された昇降収納装置であり、該装置における昇降動作には、外側ケーシング又は外側ケーシングに固定された基台に枢着されたアームが、枢着点を中心に回動することにより、アームが一定の範囲で移動ないし作動する回動機構が採用されており、即ち、アームが回動することにより、当該アームの端部に枢着された収納ケースが昇降する構成となる。
【００１８】
本発明装置において用いられる前記「外側ケーシング」、「基台」及び「収納ケース」としては、本発明装置の使用に耐え得る程度の物理的強度を有するものであれば、その形状や素材については、特に限定されるものではなく、木製、金属製、プラスチック製或いは合成樹脂製等の任意の素材を用途に応じて様々な形状に加工したものが用いられる。
【００１９】
一方、本発明装置において用いられる前記「アーム」についても、本発明装置の使用に耐え得る程度の物理的強度を有するものであれば、その形状や素材については、特に限定されるものではなく、木製、金属製、プラスチック製或いは合成樹脂製等の任意の素材を、本発明装置の用途に応じて様々な形状に加工したアームを適宜用いることができるのであり、単なる一直線の棒状体や板状体に限らず、例えば、途中を適宜屈曲させた湾曲形状のアームや二以上の複数に分岐したアーム、或いは二以上の複数の部材を枢着して関節を設けることにより関節ごとに折れ曲がるアーム等を用いることもできる。
【００２０】
又、外側ケーシング又は基台へのアームの枢着は、該枢着点を中心にアームが所望の範囲で回動自在に移動するものであれば、特に限定されるものではなく、ボルトや軸或いはアームに設けた雄型（若しくは雌型）の接合部材を、外側ケーシング又は基台に設けた雌型（若しくは雄型）の接合部材に挿入することによって直接アームを枢着しても良く、又、ギヤやベルト或いはチェーンなどを介して、間接的にアームが枢着されているものであっても良い。
【００２１】
更に、外側ケーシング又は基台へ枢着されるアームは一本のみに限定されるものではなく、二本以上の複数本のアームがそれぞれ外側ケーシング又は基台へ枢着され、各アームが単独ないし連動して作動するものであっても良いのである。
【００２２】
そして、本発明装置においては、前記収納ケースの引き出し動作に対して制動力を与える直線運動式のダンパが備えられる。
【００２３】
即ち、本発明装置は、収納ケースの引き出し動作に対して制動力を与える直線運動式のダンパが設けられているから、収納ケースの引き出し動作に対して抵抗が与えられ、収納ケースの急落を防止することができるのである。
【００２４】
ここで、本発明装置において用いられる直線運動式のダンパとしては、流体を注入した略筒状のシリンダ及び前記シリンダ内壁に沿って摺動すると共に該シリンダ内を圧力室と非圧力室に仕切るピストン及びピストンロッドからなるものであれば特に限定されるものではない。
【００２５】
又、このシリンダに注入する流体としては、ダンパをいわゆる「オイルダンパ」として構築する場合には、水や油等の各種液体から選ばれた少なくとも一種を適宜選択して用いることができ、ダンパをいわゆる「エアダンパ」として構築する場合には空気や窒素、酸素及び二酸化酸素等の各種気体から選ばれた少なくとも一種を適宜選択して用いることができる。
【００２６】
なお、ダンパをエアダンパとして構成する場合には、必ずしも積極的に流体を注入する必要は無く、大気中にある空気を利用しても良いのであり、従って、本発明において「流体を注入する」とは、「シリンダ内に流体を存在させる」という意味である。
【００２７】
そして、本発明装置においては、前記ダンパとして、ピストンロッドが引かれた際にダンパ効果が生じるものを用いた点に最も大きな特徴を有する。
【００２８】
即ち、本発明装置においては、昇降収納装置における収納ケースの引き出し動作に対して制動力を与える直線運動式のダンパとして、ピストンロッドが引かれた際にダンパ効果が生じるダンパを用いているから、引き出された収納ケースを外側ケーシング内に収める動作に応じて、ダンパにおけるピストンロッドが縮み、これより、収納ケースが外側ケーシングに完全に納まった状態においてダンパ全体の長さを最短にすることができ、その結果、当該ダンパを格納するためのスペースを至極省スペースに設定することが可能になるのである。
【００２９】
ここで、「ピストンロッドが引かれた際にダンパ効果が生じるダンパ」とは、ピストンロッドを引いた場合においては、シリンダ内の圧力室から非圧力室への流体の流通量が少なくなって大きな制動力が生じ、一方、ピストンロッドを押した場合においては、シリンダ内の圧力室から非圧力室への流体の流通量が多くなって殆んど制動力が生じなくなる特性を有するダンパのことをいい、そのメカニズムについては特に限定されるものではないが、具体的に例えば、ピストンにおいて、当該ピストンによって仕切られたシリンダ内の二つの部屋の一方（圧力室）からもう一方の部屋（非圧力室）へ流体が移動可能となる「流体流通路」、当該流体流通路の経路中に設けられた「逆止弁ホール」及び「逆止弁部材」で構成されたような逆止弁機構を備えたものなどを挙げることができる。
【００３０】
即ち、このような逆止弁機構は、ピストンに対して、圧力室から非圧力室へ流体が移動可能となる流体流通路が設けられていることから、ピストンの移動に応じて前記二つの部屋内における流体の充填割合を変化させることができるのであり、しかも前記流体通路の経路中において、逆止弁ホール及び逆止弁部材を設けていることから、当該逆止弁機構が開放される方向へのピストンの動きにおいては、流体が流体流通路を介して移動することができるためにピストンの動きはスムーズとなり、一方、逆止弁機構が閉塞する方向へのピストンの動きにおいては、流体流通路が閉塞するため、ピストンの動きが制御されて制動力が強く発現するのである。
【００３１】
そして、本発明においては、ピストンロッドを引いた場合に、逆止弁が閉塞状態となって大きな制動力が生じ、一方、ピストンロッドを押した場合に、逆止弁が開放状態となって殆んど制動力が生じなくなるように逆止弁機構を設けて、ピストンロッドが引かれた際にダンパ効果が生じるようにすれば良いのである。
【００３２】
ところで、この種ピストンロッドが引かれた際にダンパ効果が生じるダンパにおいては、ピストンロッドを引っ張る力と制動力が、ピストンとピストンロッドの接続位置に集中して掛かり、ピストンロッドがピストンから抜けたり、ピストンが破損したりするおそれがあり、このため、本発明においては、ピストンロッドがピストンを貫通した状態で固定し、一定以上の接続強度を確保することが好ましい。
【００３３】
前述のように、本発明装置においては、昇降収納装置における収納ケースの引き出し動作に対して制動力を与える直線運動式のダンパとして、ピストンロッドが引かれた際にダンパ効果が生じるダンパを用いているから、引き出された収納ケースを外側ケーシング内に収める動作に応じて、ダンパにおけるピストンロッドが縮み、これより、収納ケースが外側ケーシングに完全に納まった状態においてダンパ全体の長さを最短にすることができ、その結果、当該ダンパを格納するためのスペースを至極省スペースに設定することが可能になるのである。
【００３４】
ところで、前述の如く、この種の昇降収納装置においては、アームの回動経路を確保するために奥行き方向に大きなスペースを開けておく必要があり、そこに大きなデッドスペースが生じている。
【００３５】
この点につき、本発明装置においては、ダンパを格納するためのスペースを至極省スペースに設定することが可能になることから、ダンパを本発明装置に奥行き方向に沿って略横置きに設置することができるのであり、前記デッドスペースを有効に活用できる結果、本発明装置の昇降動作を担う部分、即ち、回動機構をコンパクト化することができ、大幅な収納スペースの確保が可能になるのである。
【００３６】
なお、「略横置き」とは、必ずしも完全に真横（水平面に対して０度）になるようにダンパを設置することに限定されるものではなく、本発明装置の奥行きに存するスペースやダンパの大きさなどに応じて、水平面に対してある程度の傾きを持ってダンパを設置しても良いことを意味するのであり、従って、本発明においては、水平面に対して±４５度程度、好ましくは±３０度程度、更に好ましくは±２０度程度の傾きを持ってダンパを設置することも「略横置き」の範疇に入るのである。
【００３７】
そして、一般的に、前記デッドスペースは、昇降収納装置の底部に向かってより大きな領域があり、従って、本発明装置においては、昇降収納装置の底部近辺にダンパを設置することにより、より一層回動機構をコンパクト化すると共に大幅な収納スペースを確保することが可能になるのである。
【００３８】
ところで、昇降収納装置の底部近辺にダンパを設置する場合、特に、外側ケーシング又は基台とアームとの枢着点近辺ないしそれ以下の位置にダンパを設置する場合においては、当該ダンパから伸びたピストンロッドが枢着軸と接触したりして、アームの回動動作を妨げる場合がある。
【００３９】
この問題につき、本発明装置においては、アームに対し略垂直に突出すると共に当該アームの回動に応じて回動するクランク部材を設け、前記クランク部材の突出した一端にダンパの一端を枢着することにより、アームの回動動作に応じて前記クランク部材が立ち上がり、もってダンパにおけるピストンロッドがアームの回動動作を妨げないように構成することが好ましい。
【００４０】
なお、「略垂直」とは、必ずしもアームに対して完全に垂直（９０度）に突出するようにクランク部材を設けることに限定されるものではなく、ダンパの設置位置やアームの回動経路などに応じて、ある程度の傾きを持ってダンパを設置しても良いことを意味するのであり、従って、本発明においては、アームに対して４５〜１３５度程度、好ましくは６０〜１２０度程度、更に好ましくは７０〜１１０度程度の傾きを持ってクランク部材を設けることも「略垂直」の範疇に入るのである。
【発明の効果】
【００４１】
本発明は、前記構成を有し、大幅な収納スペースの確保を可能にした新規な昇降収納装置である。
【００４２】
即ち、本発明装置においては、昇降収納装置における収納ケースの引き出し動作に対して制動力を与える直線運動式のダンパとして、ピストンロッドが引かれた際にダンパ効果が生じるダンパを用いているから、引き出された収納ケースを外側ケーシング内に収める動作に応じて、ダンパにおけるピストンロッドが縮み、これより、収納ケースが外側ケーシングに完全に納まった状態においてダンパ全体の長さを最短にすることができ、その結果、当該ダンパを格納するためのスペースを至極省スペースに設定することが可能になるのである。
【００４３】
又、本発明装置においては、ダンパを格納するためのスペースを至極省スペースに設定することが可能になることから、ダンパを本発明装置に奥行き方向に沿って略横置きに設置することもできるのであり、昇降収納装置の奥行き方向に沿って生じるデッドスペースを有効に活用できる結果、本発明装置の昇降動作を担う部分、即ち、回動機構をコンパクト化することができ、より一層大幅な収納スペースの確保が可能になるのである。
【発明を実施するための最良の形態】
【００４４】
以下、本発明の実施例を説明するが、本発明はこの実施例に限定されるものではない。
【００４５】
＜ダンパ＞
図２に示すダンパ６は、本発明装置１において好適に用いられるダンパの具体例であり、流体を注入したシリンダ６１、ピストン６２及びピストンロッド６３からなる直線運動式のダンパ６であり、前記ピストン６２には、該ピストン６２の移動に伴って圧力室から非圧力室へ向かって流体が移動可能となる流体流通路６４（メイン流通路６４１及びバイパス流通路６４２）が設けられ、当該流体流通路６４の経路中には、逆止弁ホール６５１及び逆止弁部材６５２からなる逆止弁機構６５が設けられている。
【００４６】
又、図２に示すダンパ６においては、ピストン６２に対して、前記流体流通路６４とは別の位置に、ピストン６２の移動に伴って圧力室から非圧力室へ向かって一定量の流体が移動可能となるように、流体流通路６４より小さい径サイズのオリフィス通路６６が設けられている。
【００４７】
更に、図２に示すダンパ６においては、シリンダ６１の内壁とピストン６２の側面との気密性を確保するために、前記ピストン６２の側面に凹溝６２１を設け、当該凹溝６２１にＯ−リング６７を嵌入している。
【００４８】
加えて、図２に示すダンパ６においては、ピストンロッド６３がピストン６２を貫通した状態でナット６８を用いて固定されており、シリンダ６１の端面に前記ナット６８の出っ張りを収容するための凹部６９が設けられている。
【００４９】
そして、図２に示すダンパ６は、ピストン６２に対して図中Ａの方向（ピストンロッド６３を押す方向）に力が加えられると、流体に押されるようにしてピストン６２に設けた逆止弁ホール６５１中の逆止弁部材６５２が、流体流通路６４におけるバイパス流通路６４２側に移動し、図２（ａ）に示すように流体流通路６４を開放し、その結果、逆止弁機構６５が開放状態となる。
【００５０】
このため、流体が流体流通路６４及びオリフィス通路６６の双方を通過して、圧力室から非圧力室へ移動することが可能となり、その際に殆んど抵抗力が生じないことから、ピストン６２の動きがスムーズになる。
【００５１】
一方、ピストン６２に対して図中Ｂの方向（ピストンロッド６３を引く方向）に力が加えられると、流体に押されるようにしてピストン６２に設けた逆止弁ホール６５１中の逆止弁部材６５２が、流体流通路におけるメイン流通路６４１側に移動し、図２（ｂ）に示すように流体流通路６４を塞ぎ、その結果、逆止弁機構６５が閉塞状態となる。
【００５２】
このため、圧力室から非圧力室への流体の移動が制限されて、流体の移動は主としてピストン６２に設けられたオリフィス通路６６のみとなるため、ピストン６２は前記Ｂの方向とは逆方向への抵抗力を受けることから、運動エネルギーが減衰され、制動力が得られる仕組みとなっている。
【００５３】
即ち、図２に示すダンパ６は、ピストンロッド６３を引いた際にダンパ効果が生じるように逆止弁機構６５を設けてなるものであり、特に、ピストンロッド６３を引っ張る力と制動力がピストン６２とピストンロッド６３の接続位置に集中して掛かることから、一定以上の接続強度を確保すべく、ピストンロッド６３がピストン６２を貫通した状態でナット６８を用いて固定されたものである。
【００５４】
そして、図２に示すダンパ６は、図３（ａ）の斜視図に示すように、ピストン６２の側面から逆止弁部材６５２が挿入可能となる逆止弁挿入口６９を設けたものであり、当該逆止弁挿入口６９から逆止弁部材６５２を挿入するだけで逆止弁ホール６５１への逆止弁部材６５２の設置が可能となるのであり、組立作業が非常に簡便となるものである。
【００５５】
又、逆止弁部材６５２が逆止弁ホール６５１へ挿入された状態のピストン６２をシリンダ６１に嵌入すると、前記逆止弁挿入口６９はシリンダ６１の内壁によって塞がれ、これより、逆止弁部材６５２の抜け落ちを簡単に防止することができるものである。
【００５６】
なお、図２に示すダンパ６においては、ピストンロッド６３がピストン６２を貫通するために充分なスペースを確保するために、図３（ｂ）の正面図に示すように、逆止弁ホール６５１の底面形状及び逆止弁部材６５２の形状として、円の一部を切り取ったような形状のものを採用し、逆止弁ホール６５１をピストン６２側面に極力寄せて設けている。
【実施例】
【００５７】
図４は、実施例に係る本発明の昇降収納装置１を示す斜視図であり、内部に備えた回動機構が視認できるように一部透過状態で図示したものである。
【００５８】
この図に示す昇降収納装置１は、外側ケーシング２内に収納ケース３が収まり込む構造になっており、使用者が、収納ケース３の前方下部に設けられた取手３１を前方に引き出すことにより、当該収納ケース３が外側ケーシング２から前方に飛び出しつつ、使用者の作業位置まで降下してくるように構成したものである。
【００５９】
この昇降収納装置１における昇降動作は、外側ケーシング２に固定された基台４に枢着された２本のアーム５（５ａ、５ｂ）が、それぞれ枢着点５１（５１ａ、５１ｂ）を中心に回動することにより、アーム５（５ａ、５ｂ）が一定の範囲で移動ないし作動する回動機構が採用されており、即ち、各アーム５（５ａ、５ｂ）が回動することにより、当該アーム５（５ａ、５ｂ）の端部５２（５２ａ、５２ｂ）に枢着された収納ケース３が昇降する構成となっている。
【００６０】
そして、この昇降収納装置１には、その回動動作に付勢力を与えるためのバネ機構７がアーム５ｂに備えられている。
【００６１】
なお、前記バネ機構７は、収納ケース３内の収納物の量（重量）が多い場合などに、収納ケース３が急落することを防ぐと共に収納ケース３を上昇させる際の補助力を与えるために備え付けられるものであるが、レバー７２を操作することにより、バネ７１による付勢力を有効状態又は無効状態に切り替えることができるように構成されており、前記レバー７２を上方向に位置した場合に、収納ケース３の引き下ろし動作に対して付勢力が充分に働く状態（有効状態）にすることができ、一方、前記レバー７２を下方向に位置した場合に付勢力が働かない状態（無効状態）にすることができるように構成している。
【００６２】
又、本実施例においては、更に、収納ケース３の降下速度に抵抗を与えるためのダンパ６が備えられている。
【００６３】
即ち、本実施例においては、収納ケース３の引き出し動作に対して制動力を与える直線運動式のダンパ６が設けられているから、収納ケース３の引き出し動作に対して抵抗が与えられ、収納ケース３の急落を防止することができるのである。
【００６４】
なお、本実施例においては、このダンパ６として、図２に示してなるダンパ６を用いており、従って、このダンパ６は、ピストンロッド６３が引かれた際にダンパ効果が生じるものである。
【００６５】
図５は、実施例に係る本発明の昇降収納装置１の開閉動作を一部透過状態で示す側面図であり、図５（ａ）は、外側ケーシング２内に収納ケース３が納まりこんだ状態を示す図であり、図５（ｂ）は収納ケース３が外側ケーシング２から引き出された状態を示す図である。
【００６６】
図５（ａ）に示すように、本実施例においては、このダンパ６におけるシリンダ６１の一端（ピストンロッド６３側に対して反対側の一端）を基台４の底部近辺に枢着すると共にピストンロッド６３を、クランク部材８の突出した一端８１に枢着することにより、ダンパ６を昇降収納装置１における底部近辺の奥行き方向に沿って略横置きに設置している。
【００６７】
なお、前記クランク部材８は、アーム５ａに対し略垂直に突出すると共に当該アーム５ａの回動に応じて回動するように設けられてなるものである。
【００６８】
即ち、本実施例に係る本発明の昇降収納装置１においては、収納ケース３の引き出し動作に対して制動力を与える直線運動式のダンパ６として、ピストンロッド６３が引かれた際にダンパ効果が生じるダンパ６を用いているから、引き出された収納ケース３を外側ケーシング２内に収める動作に応じて、ダンパ６におけるピストンロッド６３が縮み、これより、収納ケース３が外側ケーシング２内に完全に納まった状態においてダンパ６全体の長さを最短にすることができ、その結果、当該ダンパ６を格納するためのスペースを至極省スペースに設定することが可能になるのである。
【００６９】
又、ダンパ６を昇降収納装置１の奥行き方向に沿って略横置きに設置しているから、昇降収納装置１の奥行き方向に沿って生じるデッドスペースを有効に活用できる結果、回動機構をコンパクト化することができ、大幅な収納スペースの確保が可能になるのである。
【００７０】
特に、前記デッドスペースは、昇降収納装置１の底部に向かってより大きな領域があり、従って、本実施例においては、昇降収納装置１の底部近辺にダンパ６を設置することにより、より一層回動機構をコンパクト化すると共に大幅な収納スペースを確保することが可能になるのである。
【００７１】
そして、昇降収納装置１における収納ケース３を引き出し、図５（ａ）の状態から図５（ｂ）に示す状態へ向かう引出し動作を行うと、その引出し動作に応じてダンパ６におけるピストンロッド６３が引き出されるのであり、この際、ダンパ６としてピストンロッド６３が引かれた際にダンパ効果が生じるものを用いているから、収納ケース３の急落が防止されるのである。
【００７２】
この際、本実施例においては、アーム５ａに対し略垂直に突出すると共に当該アーム５ａの回動に応じて回動するクランク部材８を設け、前記クランク部材８の突出した一端８１にピストンロッド６３の一端を枢着しているから、図５（ｂ）に示すように、アーム５ａの回動動作に応じて前記クランク部材８が立ち上がり、ダンパ６におけるピストンロッド６３がアーム５ａの回動動作を妨げないのである。
【図面の簡単な説明】
【００７３】
【図１】図１は、従来公知の昇降収納装置を示す斜視図である。
【図２】図２は、実施例１において用いられるダンパを示す断面図である。
【図３】図３は、実施例１において用いられるダンパにおける逆止弁部材の挿入を示す斜視図である
【図４】図４は、実施例１に係る本発明の昇降収納装置を示す斜視図である。
【図５】図５は、実施例１に係る本発明の昇降収納装置の作動状態を示す側面図である。
【符号の説明】
【００７４】
１  昇降収納装置
２  外側ケーシング
３  収納ケース
４  基台
５  アーム
６  ダンパ
７  バネ機構
８  クランク部材
【図１】
2007097969.tif 000003
【図２】
2007097969.tif 000004
【図３】
2007097969.tif 000005
【図４】
2007097969.tif 000006
【図５】
2007097969.tif 000007